(57)【要約】【課題】  電池の出力電圧が一瞬落ち込んでも問題なく動作するプリンタを提供すること。【解決手段】  制御ＣＰＵ１８０の前段に電圧レギュレータ１８１ａを配備する。この電圧レギュレータ１８１ａに電池１ｂから電力を供給するとともに、ＤＣ／ＤＣコンバータ１８１ａからの電力も供給する。さらに電池１ｂと電圧レギュレータ１８１ａのどちらの出力電圧を使用するかを、ダイオードＤ１とダイオードＤ２とを用いて切り替えるようにして重負荷になって電池の電圧が落ち込むことがあたてもリセット回路１８００に制御ＣＰＵ１８０をリセットさせないようにする。電池が交換されるときにはリセット回路１８００により制御ＣＰＵ１８０がリセットされる。【選択図】    図１０
2005103786.tif 000002
【特許請求の範囲】
【請求項１】
電池が装填される電池室と、画像が記録される記録媒体が装填される媒体装填室とを有し、該電池室に装填された電池から電力の供給を受けて動作して、該媒体装填室に装填された記録媒体上に画像を記録するプリンタにおいて、
画像データを取得し、画像データに基づく画像を前記媒体装填室に装填された記録媒体上に記録する画像記録部と、
前記電池から電力の供給を受けて前記画像記録部により画像が記録された後の該記録媒体を前記媒体装填室からこのプリンタの外部に送り出す送出処理部と、
前記画像記録部の記録動作と前記送出部の送出動作との双方を制御する制御部と、
前記電池から電力の供給を受け所定電圧の電力に調整して前記画像記録部に電力を供給する電圧コンバータと、
前記電池と前記電圧コンバータとの双方から電力の供給を受け、所定電圧の電力に調整して該電力を前記制御部に供給する電圧レギュレータとを備えたことを特徴とするプリンタ。
【請求項２】
前記電圧レギュレータは、前記電池との間に配置された第１のダイオードを介在させて該電池から電力の供給を受けるとともに、前記電圧コンバータとの間に配備された第２のダイオードを介在させて該電圧コンバータから電力の供給を受けるものであることを特徴とする請求項１記載のプリンタ。
【発明の詳細な説明】
【技術分野】
【０００１】
本発明は、電池が装填される電池室と、画像が記録される記録媒体が装填される媒体装填室とを有し、その電池室に装填された電池から電力の供給を受けて動作して、その媒体装填室に装填された記録媒体上に画像を記録するプリンタに関する。
【背景技術】
【０００２】
カメラなどの携帯機器においては、電池で動作するものが多いため、その電池の残量などをチェックするためにバッテリーチェック機能が配備されているものが多い。このバッテリーチェック機能は電池の容量をチェックするものであり、バッテリの出力電圧が低下してきて所定の電力の供給が行なわれなくなることをユーザに警告して電池の交換を促すために配備されている。
【０００３】
このようにバッテリチェック機能が働いて電池の交換が促されてユーザにより電池の交換が行なわれる際、制御部内に揮発性メモリがあると、その揮発性メモリの内容が消えてしまうので、通常、電池が交換されてもその揮発性メモリの内容が消えてしまわないようにバックアップ用の電池などが配備されているものがある。また、このバックアップ用の電池に代えてコンデンサを用いたものもある（例えば特許文献１参照）。特許文献１に記載されたものでは、電池が交換される間、コンデンサからメモリにだけ電力が供給されるように、メモリ以外の回路を切り離してメモリとコンデンサとだけを接続するようにしている。
【０００４】
また、入力電圧が所定の範囲であれば、所定の電圧が出力される基準電圧源にメインの電池だけでなく、ＡＣアダプタ、補助用の電池からも電力を供給するようにして、これらを３つのダイオードにより選択的に切り替えていずれかの電源から装置全体に電力を絶えず供給することができるようにしたものもある（例えば特許文献２参照）。この特許文献２のものではダイオードの順方向電圧Ｖｆの電圧降下があっても出力が一定の電圧に保たれるように、基準電圧源を用いて出力を安定化させる技術を提案している。
【０００５】
しかし、このようにバックアップ用の電源を備えていても、装置が稼動しているときには、重負荷になると電池の出力電圧が一瞬落ち込んでしまうこともある。この場合には、制御部に動作用として供給されている電圧が所定の電圧以下になったことを受けて、制御部が電池の交換が行なわれるものと判断して装置全体をリセットしてしまうことがある。
【０００６】
図１は、インスタントフィルム上に画像をプリント出力するプリンタの電源系統を示す図である。
【０００７】
図１に示すプリンタは、電池２０３が装填される電池室と、画像が記録される記録媒体が装填される媒体装填室とを有し、その電池室に装填された電池から電力の供給を受けて動作して、その媒体装填室に装填された記録媒体上に画像を記録するものである。
【０００８】
このプリンタの電源系統では、図１に示す画像処理部、印刷処理部およびメモリ２０１などの各部がそれほど電力を消費しないものとしてＤＣ／ＤＣコンバータ２０２を介してそれらに電力が供給されている。また制御ＣＰＵ２０５と展開モータドライバ２０６には、電池２０３からの電力がそのまま供給されている。また制御ＣＰＵ２０５には電池２０３が交換されたときに制御ＣＰＵ２０５をリセットするためのリセット回路２０４が配備されており、このリセット回路２０４は電池２０３の電圧が２．７Ｖ以下になると制御ＣＰＵ２０５をリセットする。
【０００９】
このような電源系統を持つプリンタでは、このプリンタでインスタントフィルムに画像をプリント出力してプリンタ外部へ排出するときに展開モータドライバ２０６により駆動されるモータ２０７に相当大きな値の電流を供給しなければならない。このため、電池２０３の内部抵抗ほか配線部の抵抗などにより電池の出力電圧（ＤＣ／ＤＣコンバータ２０２への入力電圧Ｖｉｎでもある）が大きく降下してしまって、制御ＣＰＵ１０５側の入力電圧が２．７Ｖを下回り、リセット回路２０４が働いて制御ＣＰＵ２０５がリセットされてしまうという事態が発生する。
【００１０】
図２は、その事態を説明する図である。
【００１１】
図２に示すように展開モータドライバ２０６に電力が供給されモータ１０７が回転し始めたときに電圧降下により制御ＣＰＵ２０５の入力電圧Ｖｃｐｕが２．７Ｖを下回ってリセット回路２０４により制御ＣＰＵ２０５がリセットされてしまう。このように制御ＣＰＵ２０５がリセットされると、動作中のモータが停止してしまう。
【特許文献１】特開平７−２０３６４０号公報
【特許文献２】特開平６−３４２３２７号公報
【発明の開示】
【発明が解決しようとする課題】
【００１２】
本発明は、上記事情に鑑み、電池の出力電圧が一瞬落ち込んでも問題なく動作するプリンタを提供することを目的とする。
【課題を解決するための手段】
【００１３】
上記課題を達成する本発明のプリンタは、電池が装填される電池室と、画像が記録される記録媒体が装填される媒体装填室とを有し、その電池室に装填された電池から電力の供給を受けて動作して、その媒体装填室に装填された記録媒体上に画像を記録するプリンタにおいて、
画像データを取得し、前記データ取得部で取得した画像データに基づく画像を上記媒体装填室に装填された記録媒体上に記録する画像記録部と、
上記電池から電力の供給を受けて上記画像記録部により画像が記録された後のその記録媒体を上記媒体装填室からこのプリンタの外部に送り出す送出処理部と、
上記画像記録部の記録動作と上記送出部の送出動作との双方を制御する制御部と、
上記電池から電力の供給を受けて所定電圧の電力に調整して上記画像記録部に電力を供給する電圧コンバータと、
上記電池と上記電圧コンバータとの双方から電力の供給を受け、所定電圧の電力に調整してその電力を上記制御部に供給する電圧レギュレータとを備えたことを特徴とする。
【００１４】
本発明のプリンタによれば、上記電池の出力電圧が一瞬落ち込んでも所定電圧の電力に調整して上記画像記録部に電力を供給する上記電圧コンバータからの所定の電圧の電力を上記レギュレータに供給して、制御ＣＰＵに安定した電圧が供給される。このため上記制御部にリセット機能があるものの場合には、リセット機能を働かせずに済み、メモリがあるものにおいてはメモリ内のデータが保持される。
【００１５】
ここで、上記電圧レギュレータは、上記電池との間に配置された第１のダイオードを介在させてその電池から電力の供給を受けるとともに、上記電圧コンバータとの間に配備された第２のダイオードを介在させてその電圧コンバータから電力の供給を受けるものであることが好ましい。
【００１６】
このようにすると、上記第１および上記第２のダイオードをスイッチング素子として機能させ、上記電池からの電力の供給を受けるか、あるいは上記電圧コンバータからの電力の供給を受けるかを、電圧の高低によって上記第１のダイオードあるいは上記第２のダイオードに選択させることができる。その結果、上記制御部にリセット機能があるものにおいては、リセット機能を働かせずに済み、上記制御部にメモリがあるものにおいてはメモリ内のデータが保持される。
【発明の効果】
【００１７】
以上説明したように、本発明によれば、電池の出力電圧が一瞬落ち込んでも問題なく動作するプリンタが実現される。
【発明を実施するための最良の形態】
【００１８】
以下図面を参照して本発明の実施の形態を説明する。
【００１９】
図３は本発明の実施形態であるプリンタを、斜め前方から見た斜視図である。
【００２０】
このプリンタは携帯電話などと組み合わされて使用されるものであって、携帯電話から送信されてくる画像データをこのプリンタで受信してインスタントフィルムに印刷を行なうものである。
【００２１】
最近、携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができる。また、最近の携帯電話にはカメラを備えたものがあり、そのカメラで撮影した画像を携帯電話内のメモリカードなどに画像データを保存することもできる。この携帯電話機内に保存された画像データに基づく画像をユーザが印刷したいと思ったときには、たとえばそのメモリカードをプリンタに装填して画像の印刷を行なったり、専用のアダプタを使用して携帯電話機をパーソナルコンピュータに繋いでＰＣ上で画像を得て、画像の印刷を行なったりしていた。しかし、携帯電話を使用するユーザにとっては、わざわざメモリカードやアダプタを使用しなくても、携帯電話を操作するだけで印刷を行なえないものかと思う人もいる。
【００２２】
本発明のプリンタはそういった思いに応えて開発されたものであり、カメラ付き携帯電話で撮影された画像を、赤外線通信を用いて送信すれば、その画像データに基づいて写真のプリントを行なえる。
【００２３】
本実施形態のプリンタの構成を、図３を参照して説明する。
【００２４】
このプリンタ１は可搬型であって携帯電話とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００２５】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。また、前述した赤外線通信により送信されてきた画像データを受光する受光素子１５が携帯電話をこのプリンタに対向させ易い位置、ここでは筐体１ａの端部に配備されている。なお、この図３には図示してはいないが、このプリンタ１はＵＳＢ通信用の通信ポートも持っている。
【００２６】
プリントＳＷ１２は、記録媒体への画像の記録が終了した後、その記録が終了した画像と同じ画像を再記録する場合に操作されるものであり、プリントデータ補正ＳＷ１３は、記録媒体に記録される画像の濃淡（Ｄａｒｋｅｎ  ｏｒ  Ｌｉｇｈｔｅｎ）を調節するためのものであり、このプリントデータ補正ＳＷ１３がＤａｒｋｅｎ側に切り換えられるとその画像データに基づく画像の全体のトーンがやや暗くなった画像がインスタントフィルムシート上に記録され、Ｌｉｇｈｔｅｎ側に切り換えられると全体のトーンがやや明るくなった画像がインスタントフィルムシート上に記録される。このプリントデータ補正ＳＷ１３が操作された後、プリントＳＷ１２が操作されると、同じ構図の写真でありながら異なった趣の写真が得られる。
【００２７】
図４は後述する光学ヘッドによってそのインスタントフィルムシート上に潜像の記録が行なわれた後、そのインスタントフィルム１００１上の潜像が顕像化されながら、このプリンタの排出口からインスタントフィルム１００１が排出されているときの状態を示す図である。
【００２８】
このプリンタでは、赤外線通信、またはＵＳＢ通信により外部から送信されてきた画像データをこのプリンタにより取得したら、その取得した画像データに基づく潜像の記録が露光によりインスタントフィルム上に行なわれ、図４に示すようにその潜像が記録されたインスタントフィルム１００１が顕像化されながら、プリンタ１外部へ排出される。その後プリントＳＷ１２が操作されたときにも、その画像と同じ画像の再記録が別のインスタントフィルム上に行なわれ、図４に示すようにインスタントフィルム１００１が排出される。
【００２９】
図５は、このプリンタ１を背面斜め後方から見た斜視図である。
【００３０】
このプリンタ１の背面側にはフィルムパック１００を装填するためのフィルムドア１０１ａが設けられており、このフィルムドア１０１ａが開けられ、フィルムパック１００がフィルム装填室１００ａに装填される。このフィルム装填室が本発明にいう媒体装填室に当たる。
【００３１】
また、このプリンタ１の電源となる電池１ｂが装填される電池装填室１０ａもそのフィルム装填室１００ａの隣にある。この電池装填室１０ａにもドアが設けられており、そのドアが開けられ、電池１ｂが装填される。
【００３２】
フィルムドアの内側１０１ａにはバネ部材１０１１ａ，１０１２ａが２つ設けられており、これらのバネ部材１０１１ａ，１０１２ａによってフィルムパック１００内に積層されたインスタントフィルムシートがプリンタ１上面側に押されるようになっている。このような構成によってそのインスタントフィルムパック１００内のインスタントフィルムシートのうち、プリンタの一番上面側にあるインスタントフィルムシート１００１が排出口１１ａに近い位置にまで押し上げられ、その位置に押し上げられたインスタントフィルムシート上に焦点のあった光点が露光により多数記録される。
【００３３】
このようなプリンタ１の内部構成を説明する。
【００３４】
図６は、このプリンタ１の上面側のカバーを外してプリンタ内部を見た図である。
【００３５】
図６に示すように、プリンタ内部に装填されたインスタントフィルムパック内に積層されているインスタントフィルムシートのうち、一番上にあるフィルムシート１００１に対向する位置に光学ヘッド部１６が配設されている。
【００３６】
この光学ヘッド部１６の端部にはラック部材１６１が設けられており、そのラック部材１６１が、筐体１ａに支持されているリードスクリュー１６１ａのネジに螺合している。また光学ヘッド部１６のラック部材１６１が設けられている側とは反対側にはガイド棒１６１１ａが設けられており、このガイド棒１６１１ａに光学ヘッド１６の端部が係合されている。このガイド棒１６１１ａによって光学ヘッド１６が案内されながら、リードスクリュー１６１ａとラック部材１６１の螺合により光学ヘッド１６が移動する。
【００３７】
また図６に示すように光学ヘッド１６にはフラットケーブル１７０が接続されており、このフラットケーブル１７０を介して後述する印刷制御部から画像データに応じた制御信号が供給される。この制御信号は光学ヘッド１６内の後述する液晶シャッタアレイの各シャッタのシャッタスピードを制御するものである。この各液晶シャッタのシャッタスピードが画像データに応じて制御され、ＲＧＢそれぞれに対応する光がインスタントフィルム上に照射され、インスタントフィルムの幅方向に４８０個の光点（ドット）からなる潜像が記録される。以降の説明においてはこの幅方向つまり一次元的に各シャッタが配列されている方向を、主走査方向という。したがってこの各シャッタが主走査方向に電子的に走査されて１ライン分の４８０の光点がインスタントフィルムシート１００１上に記録される。この光学ヘッド１６の電子走査によってインスタントフィルム１００１の主走査方向に４８０ドットからなる光点が記録されたら、後述する印刷制御部からの制御信号に基づいてステッピングモータ１６２ａが駆動されてリードスクリュー１６１ａが所定の角度回転して、今度はその主走査方向と交わる方向に光学ヘッド１６によって４８０ドットづつ光点が順次記録されていく。以降の説明ではこの主走査方向と交わる方向を副走査方向という。この副走査方向には、光学ヘッドの１回の主走査で記録される光点４８０ドット分を１ラインとして６４０ラインの光点がインスタンフィルム全体に渡って記録される。
【００３８】
この光点の集まりによって画像を表わす潜像が記録されたら、展開ローラ１７によりインスタントフィルムシート１００１を挟み込んでインスタントフィルム内の現像剤をインスタントフィルムシート１００１全体に展開させ、潜像を顕像化させながらプリンタ外部へと排出する。このインスタントフィルムシート１００１は自己現像処理型感光材料であり、インスタントフィルム１００１が展開ローラ１７で挟み込まれるとインスタントフィルム内に充填されていた現像剤がインスタントフィルムシート全体に均一に展開され、フィルムシート上の潜像が顕像化されるものである。このように光学ヘッドによってインスタントフィルム上に、所定の副走査方向に移動しながらその副走査方向に交わる主走査方向に並んだ光点を画像データに応じて照射することによりそのインスタントフィルム上に潜像が記録される。
【００３９】
ここで光学ヘッド１６の構成を、図７を参照して説明しておく。
【００４０】
図７は光学ヘッドの構成を示す模式図である。
【００４１】
この図７には導光板１６４の端部に配設された発光素子１６３Ｒ，１６３Ｇ，１６３Ｂの配列順序と、インスタントフィルム上に光点となって照射されるＲ、Ｇ、Ｂの光の進行方向が矢印によって模式的に示されている。
【００４２】
図７に示すように、この光学ヘッド１６は光の３原色であるＲ，Ｇ，Ｂそれぞれの発光素子１６３Ｒ，１６３Ｇ，１６３Ｂと、導光板１６４と、前述した液晶シャッタアレイ１６５と、レンズ１６６とからなる。
【００４３】
図７に示すように、３原色の発光素子１６３Ｒ，１６３Ｇ，１６３Ｂそれぞれが導光板１６４の端部に配設されており、それらの発光素子で発光された光がその導光板１６４によってインスタントフィルム１００１側に導かれる。このインスタントフィルムシート１００１側に導かれた光の進路が導光板１６４によって変更され、インスタントフィルムシート１００１上に照射される。この照射された光は液晶シャッタアレイ１６５の各シャッタを通り、その先にあるセルフォックレンズ（登録商標）１６６を通ってインスタンフィルム１００１まで達する。このように液晶シャッタアレイ１６５の各シャッタによって光量が調節された光が、セルフォックレンズによってインスタントフィルム上に収束されて焦点のあった光点がインスタントフィルム上に多数記録される。ここでは４８０素子の液晶シャッタアレイを用いて画像データに応じて各シャッタのシャッタスピードを制御することで画像データに応じた階調を持つ４８０の光点がインスタントフィルム上に記録される。これが副走査方向にも６４０ライン分記録され、４８０×６４０（ＶＧＡサイズ）の光点がインスタントフィルム上に潜像として記録される。この潜像は、Ｒ，Ｇ，Ｂの３色の光をレンズ１６６によって同一の光点に記録させたカラー画像を表わす潜像である。
【００４４】
これら光学ヘッド１６、展開ローラ１７ｂ、ステッピングモータ１６２ａを駆動する構成ブロック図８を参照して、動作を説明する。
【００４５】
図８に示すように、この制御ＣＰＵ１８０にはこのプリンタ１の電源がオフされてもこのプリンタ１の制御を行なえるように、電池１ｂから電力が直接供給されている。他に電源部１８１と展開モータドライバ１７ａには電池１ｂから電力が直接供給されているが、電源部１８１、展開モータドライバ１７ａは制御ＣＰＵ１８０からの指示がない限り動作しないので電力が消費されない。また、画像処理部１８２、ステッピングモータ１６２１ａ、印刷処理部１８３、揮発性メモリであるＲＡＭ１８４、不揮発性メモリであるＦＬＡＳＨＭＥＭＯＲＹ１８５、画像処理部１８２内の外部ＩＦ１８２１への電力供給は電源部１８１を介して行なわれ、この電源部１８１が制御ＣＰＵ１８０により制御され、制御ＣＰＵ１８０の指示がない限り、各部には電力が供給されない。この制御ＣＰＵ１８０が本発明にいう電源制御部に当たる。図８には電池１ｂから電力を直接供給する電源線、および電池１ｂから電源部１８１を介して電力を供給する電源線がそれぞれ太線で示されている。なお、図６には点線で制御線と検出線もそれぞれ示してある。
【００４６】
このように制御ＣＰＵ１８０により電源部１８１の出力のオンオフを制御することによって電力消費が抑えられ、電池１ｂの長寿命化が図られる。前述したようにこのプリンタ１の電池装填室１０ａに電池１ｂが装填されると、その電池１ｂで長期に渡ってこのプリンタが使用される。
【００４７】
また、制御ＣＰＵ１８０には図３に示した各種スイッチ１０が接続されており、これらの各種スイッチ１０の操作に応じて図８に示す各部の制御を行なう。この各種スイッチのうち、電源ＳＷ１１が投入された後、赤外線通信またはＵＳＢ通信により画像データが外部から送られ、このプリンタが画像データを取得したときには各種スイッチ１０のプリントＳＷ１２の操作に拠らずこの制御ＣＰＵ１８０の制御の基に画像の記録が行なわれる。
【００４８】
この制御ＣＰＵ１８０には、光学ヘッド１６の温度を検出する温度センサ１８０Ａと、光学ヘッド１６の記録開始位置を検出する原点センサ１８０Ｂと、光学ヘッド１６の終端位置を検出する終端センサ１８０Ｃからの検出信号が供給されており、制御ＣＰＵ１８０では温度センサ１８０Ａからの検出信号に応じて光学ヘッド１７内の各シャッタのシャッタスピードを印刷制御部１８３に制御させるとともに、光学ヘッド１７を副走査方向に移動させるときの移動開始位置と、終端位置とをそれぞれ原点センサと終端センサにより検出して、印刷制御部１８３にステッピングモータ１６２ａを制御させている。
【００４９】
ここで、電源ＳＷ１１が投入された後、外部から画像データが送信されてきたときに、制御ＣＰＵ１８０がどのような動作を各部に行わせるかを説明する。
【００５０】
赤外線通信により画像データが外部からこのプリンタ１に送られてきたときには、外部Ｉ／Ｆ１８２１を有する画像処理部１８２がその赤外線を受光素子１５によって受光したときに制御ＣＰＵ１８０に対し受信有りの信号を出力する。制御ＣＰＵはこの信号を受けて画像処理部１８２にＲＡＭ１８４とＦＬＡＳＨＭＥＭＯＲＹ１８５双方の画像データの消去を行なわせる。さらに、画像処理部１８２に新たな画像データの受信を行なわせ、その受信した画像データを、バスを介してＲＡＭ１８４に記憶させる。
【００５１】
制御ＣＰＵ１８０は，ＲＡＭに外部からの画像データを記憶させたら、そのＲＡＭ１８４に格納されている画像データを画像処理部１８２に読み出させ、その画像処理部１８２でプリントデータを生成させる。なお、このプリントデータとは画像処理部で適当な処理を施し、光学ヘッド１７の各シャッタのシャッタスピードを制御することができるようになったデータを指しており、上記画像取得部により取得された画像データとは異なる。以降の説明においては、双方のデータを区別するため、プリントデータに対し、上記画像取得部により取得され、ＲＡＭに格納された画像データをプリント前データと呼ぶ。
【００５２】
制御ＣＰＵ１８０は、このプリントデータを画像処理部１８２に生成させたら、画像処理部１８２にそのプリントデータの転送を行なわせ、印刷制御部１８３に各シャッタのシャッタスピードの制御を行なわせる。そうすると、そのプリントデータに応じて、主走査方向に配列されている各シャッタの開口時間つまりシャッタスピードが制御され、各シャッタを通過するＲ，Ｇ，Ｂ３色の光量がそれぞれ調節される。さらに印刷制御部１８３に、ステッピングモータドライバ１６２１ａを制御させ、ステッピングモータ１６２ａにより光学ヘッド１６を副走査方向に走査させ、その走査の度にプリントデータに応じて各シャッタのシャッタスピードを、印刷制御部１８３に制御させ、副走査方向の各光点の光量をそれぞれ調節させる。このようにしてすべての光点の光量を調節させ、それらの光点の集まりからなる画像を表わす潜像をインスタントフィルム上に記録させる。この印刷処理部１８３と光学ヘッド１７とステッピングモータ１６２ａとステッピングモータドライバ１６２１ａと画像処理部１８１とＲＡＭ１８４とＦＬＡＳＨＭＥＭＯＲＹ１８５が本発明にいう画像記録部に当たる。
【００５３】
この画像記録部によってインスタントフィルム上に潜像を記録させた後、制御ＣＰＵ１８０は電源部１８１の出力をオフさせ、展開モータドライバ１７ａにより展開モータ１７を駆動させる。
【００５４】
この展開モータ１７により展開ローラを回転させ、インスタントフィルムを挟み込ませながら、現像液をインスタントフィルム全体に展開させ、潜像を顕像化させてインスタントフィルムをプリンタ外部へと排出させる。
【００５５】
以上が、電源ＳＷ１１により電源が投入された後、赤外線通信またはＵＳＢ通信により画像データが送られてきたときに制御ＣＰＵ１８０が各部に行なわせる処理である。
【００５６】
次に、プリントＳＷ１２が操作されたときに制御ＣＰＵ１８０が各部に行なわせる処理を説明する。
【００５７】
プリントＳＷ１２が操作されたことを受けて、制御ＣＰＵ１８０は画像処理部１８２にＲＡＭ１８４に格納されている画像データの読み出しを行なわせる。この読み出した画像データに基づいて画像処理部１８２にプリントデータを生成させ、印刷処理部１８３へ転送させる。印刷処理部１８３ではそのプリントデータに基づき、光学ヘッド１７の各シャッタを制御してインスタントフィルム上に照射される光量をそれぞれ調節させる。この各光点の光量をそれぞれ調節させることによってインスタントフィルム上に画像データに応じた光量が照射され、画像データに応じた潜像が記録される。
【００５８】
制御ＣＰＵ１８０は、この潜像の記録が終了したことを終端センサ１８０Ｃの検出信号の変化により検出して、制御ＣＰＵ１８０から電源部１８１に電源部１８１の出力をオフさせる指示を出すとともに、展開モータドライバ１７ａに展開モータ１７の駆動指示を出す。
【００５９】
展開モータ１７によりインスタントフィルムを展開ローラ側に送り出させるための爪（図示せず）を駆動させ、インスタントフィルムを展開ローラ側に送り出させ、さらに展開ローラにインスタントフィルムを挟持させ、インスタントフィルムをプリンタ外部へと排出させる。この展開ローラに挟持させることにより、インスタントフィルム内に充填されていた現像剤をインスタントフィルム全体に展開させ、潜像を顕像化させる。この展開モータ１７と展開モータドライバー１７ａと展開ローラ１７ｂと爪とが本発明にいう送出処理部に当たる。
【００６０】
このようにしてプリントＳＷ１２が操作されたときには、ＲＡＭ１８４内に格納されている画像データに基づく画像がインスタントフィルム上に記録される。
【００６１】
また、このプリントＳＷの操作は電源が遮断された後でも行われることがあるので、本実施形態のプリンタでは、画像データの退避、復帰という処理を行なえるように不揮発性メモリが配備されている。
【００６２】
そこでこの不揮発性メモリを使用して、電源ＳＷ１１により電源が遮断されたとき、あるいは本実施形態のプリンタが有するオートパワーオフ機能が働いたときには、ＲＡＭ１８４内の画像データの不揮発メモリへの転送を画像処理部１８２に行なわせ、ＲＡＭ１８４にあった画像データの退避を行なわせている。
【００６３】
また、電源ＳＷ１１が再投入されたときに、画像処理部１８２にその不揮発性のＦＬＡＳＨＭＥＭＯＲＹ１８５に格納されている画像データの転送を行なわせ、そのＦＬＡＳＨＭＥＭＯＲＹ１８５内にあった画像データをＲＡＭ１８４に復帰させている。
【００６４】
さらに、一度画像の記録を行なってから、時間があまり経過しすぎると、画像データが古くなりすぎ、ユーザが誤ってプリントＳＷ１２を操作してしまった場合に不要な画像が記録されてしまうことも予想される。このようなことが起こると、インスタントフィルムシートが無駄遣いされてしまうので、制御ＣＰＵ１８０は、タイマにより所定時間経過した後は、印刷処理部に記録処理を行なわせないようにしている。
【００６５】
ここでは、再記録禁止の処理として、ＲＡＭ１８４とＦＬＡＳＨＭＥＭＯＲＹ１８５双方の画像データを残して、表示により記録すべき画像がないということをユーザに知らせている。なお、制御ＣＰＵ内のタイマにより所定時間を計時しているので、その計時された時間を判定基準にして揮発性メモリ、不揮発性メモリ内の画像データを制御ＣＰＵ１８０と画像処理部１８２とからなる画像データ消去部に消去させ、画像ＥＭＰＴＹをＬＣＤパネル上に表示させても良い。
【００６６】
この画像データの退避、復帰、消去、プリントＳＷの操作を無効にするといった処理を制御ＣＰＵ１８０がどのように行なっているかを、以降のフローチャートを参照しながら随時説明する。
【００６７】
図９は、制御ＣＰＵ１８０が行なう処理の手順を示すフローチャートである。
【００６８】
図９にはメインプロセスが示されている。
【００６９】
図９を参照して制御ＣＰＵ１８０で行なわれるメインルーチンの処理を説明する。
【００７０】
電池１ｂが投入されたら、まずステップＳ９０１で各部の初期設定を行なう。この初期設定によって制御ＣＰＵ１８０に供給されるクロックの発振周波数の設定を行なう。この制御ＣＰＵ１８０は、低消費電力モードを有しており、この低消費電力モードのときには遅いクロックで動作する。次のステップＳ９０２でＦＬＡＳＨＭＥＭＯＲＹ１８５内の画像データの削除を行なう。ここでは例えば出荷前の検査用の画像データがＦＬＡＳＨＭＥＭＯＲＹ１８５内に残っていると困るので画像処理部に画像データの消去を行なわせている。
【００７１】
ステップＳ９０３で、電源ＳＷ１１が投入されるのを待ち受け、電源ＳＷ１３が投入されたら、ステップＳ９０４で電源ＯＮ処理を行なう。この電源ＯＮ処理ではＬＣＤパネル上にメニューを表示したり、クロックのスピードを速めて制御ＣＰＵ１８０の処理速度を上げることを行なう。
【００７２】
次のステップＳ９０５で、制御ＣＰＵ１８０側に入力される信号の状態が遷移するのを待ち受ける待ち受け状態に移行する。
【００７３】
ここでは、制御ＣＰＵ１８０が、この制御ＣＰＵ１８０に入力される状態の遷移を監視する項目として、プリントＳＷ１２、あるいはプリントデータ補正ＳＷ１３が操作され、ＯＮ側に切り換えられること、画像データが外部ＩＦ１８２１で受信され、受信信号が検出されること、電源ＳＷ１１がオフ側に切り換えられること、本実施形態のプリンタが有するオートパワーオフ機能が働くことを掲げている。
【００７４】
制御ＣＰＵ１８０は、これらの入力の状態のいずれかが遷移したと判定したら、その遷移した状態に対応する処理を各部に行なわせる。
【００７５】
まずステップＳ９０６で、プリントデータ補正ＳＷがＯＮ側に操作されたことを受けて、画像処理部内のプリントデータ補正ＳＷ処理プロセスを起動し、プリントデータ補正ＳＷの操作内容に応じた画像データの補正係数を画像データに設定させ、また待ち受け状態に戻る。
【００７６】
また、携帯電話から画像データが送信され、外部ＩＦ１８２１が画像データの受信を検出したことを受けて、ステップＳ９０７で画像処理部１８２内の赤外線通信プロセスを起動し、画像処理部１８２内の外部ＩＦ１８２１とＲＡＭ１８４とからなる画像取得部によって画像データを取得する。この画像取得部により画像データを取得したら、ステップＳ９１３からステップＳ９１５で各処理を行なわせてインスタントフィルムを外部に排出させる。ステップＳ９０８でＵＳＢ通信により画像データを取得したときにもこのステップＳ９０７と同様の処理が行なわれる。
【００７７】
次に、プリントＳＷ１２が操作されＯＮ側に切り換えられた場合には、ステップＳ９０９で制御ＣＰＵ内のタイマ値を参照してタイムオーバだったら、ステップＳ９０５の待ち受け状態に戻る。またタイマ値を参照して所定の時間以内だったら、ステップＳ９１０へ移行しプリントデータＲＡＭ展開処理を行なって、ＲＡＭに画像データを復帰させ、画像データに基づく画像の記録処理をステップＳ９１３からステップＳ９１５で行なわせる。この実施形態では、このプリントＳＷ１２が操作されＯＮ側に切り換えられたことを出力操作指示として、出力指示取得部である制御ＣＰＵ１８０にその出力操作指示を受けさせ、画像の記録処理を行なわせている。
【００７８】
さらに、電源ＳＷ１１がｏｆｆ側に切り替えらるか、またはオートパワー機能が働いた場合には、制御ＣＰＵ１８０内の電源ｏｆｆ処理プロセスを起動し、制御ＣＰＵ内１８０のタイマ値を参照して、そのタイマ値が所定の時間以内であることを検知したら、上記画像転送部に当たる画像処理部１８２にＲＡＭ１８４に格納されている画像データの転送を行なわせ、ＦＬＡＳＨＭＥＭＯＲＹ１８５に画像データを退避させる。その後、各部の電源ｏｆｆ処理を行なって、メインルーチンへ戻る。
【００７９】
この実施形態では、この電源ＳＷ１１がｏｆｆ側に切り換えられるか、またはオートパワーオフ機能が働いたことを電源の遮断指示として制御ＣＰＵ１８０にその電源の遮断指示を受けさせ、その遮断指示に応じて遮断処理を行なわせている。
【００８０】
図１０は、このプリンタ１が備える電池１ｂとＤＣ／ＤＣコンバータ１８１の部分の構成を抜き出してこのプリンタの電源系統を示した図である。
【００８１】
図１０に示すＤＣ／ＤＣコンバータ１８１は、電池１ｂから電力の供給を受けて所定電圧の電力に調整して画像処理部、印刷処理部、メモリからなる画像記録部１８に電力を供給するものであり、電圧レギュレータ１８１ａは、電池１ｂとＤＣ／ＤＣコンバータ１８１との双方から電力の供給を受け、所定電圧の電力に調整してその電力を制御部ここではＣＰＵ１８０に供給するものである。
【００８２】
さらに、電圧レギュレータ１８１ａは、電池１ｂとの間に配置された第１のダイオードＤ１を介在させて電池１ｂから電力の供給を受けるとともに、ＤＣ／ＤＣコンバータ１８１との間に配備された第２のダイオードＤ２を介在させてそのＤＣ／ＤＣコンバータ１８１から電力の供給を受けるものである。ここでは入力電圧が２．５Ｖ以上で出力３．３Ｖが出力されるＤＣ／ＤＣコンバータ１８１が用いられ、また、２つのダイオードＤ１，Ｄ２には順方向電圧Ｖｆの小さなショットキバリアダイオードが用いられている。
【００８３】
このように電圧レギュレータ１８１ａを設けると、電池１ｂの電圧が少々低下しても所定電圧の電力がＣＰＵ１８０に供給され、リセット回路１８００が働くことが防止される。さらに、展開モータドライバ１７ａが動作して電池の出力電圧が大きく落ち込んだ場合には、ＤＣ／ＤＣコンバータ１８１からの所定電圧の電力が電圧レギュレータ１８１ａに供給されて電圧レギュレータ１８１ａから所定電圧の電力が制御ＣＰＵ１８０に供給される。
【００８４】
図１１は、図１０の電源系統を有するプリンタでプリント動作を行なったときの状態を示す図である。
【００８５】
図１に示す例では、リセット回路２０４の入力電圧が２．７Ｖを下回って制御ＣＰＵ２０５がリセットされるという事態が発生していたが、図１０の例では電圧レギュレータ１８１ａを設けて制御ＣＰＵ１８０に電池からの高電圧の電力を電圧レギュレータにより調整して所定電圧（３．３Ｖ）の電力を供給するようにしてリセット回路１８００が働かないように工夫が施されている。
【００８６】
また、電池１ｂの出力電圧Ｖｃｐｕが落ち込むと、電圧レギュレータ１８００の出力電圧も落ち込んでしまうことがあるため、電池１ｂの出力電圧Ｖｃｐｕが落ち込んだときには、ＤＣ／ＤＣコンバータ１８１側からの電力の供給も受けることができるように改良されている。このようにしておくことで、電池１ｂの出力電圧が一瞬落ち込んでも、第１のダイオードＤ１、第２のダイオードＤ２により制御ＣＰＵへの電力供給の経路がコンバータ側に切り替えられて、ＤＣ／ＤＣコンバータ１８１の出力電圧ここでは３．３ＶがダイオードＤ２を介して電圧レギュレータに入力され、制御ＣＰＵに所定電圧の電力が供給される。図１１には、ショットキバリアダイオードＤ２の順方向電圧Ｖｆが２．７Ｖまでの電圧降下を引き起こされない程度の小さなものであることが示されている。
【００８７】
このようにすると電圧レギュレータ１８１ａの入力電圧が安定して電圧レギュレータの出力電圧が２．７Ｖを下回ってリセット回路が働いて制御ＣＰＵ１８０がリセットされることがない。
【００８８】
このようにＤＣ／ＤＣコンバータ１８１からの出力を制御ＣＰＵ１８０にフィードバックさせることで、またダイオードＤ１とダイオードＤ２により電池１ｂの出力とＤＣ／ＤＣコンバータ１８１の出力とを切り替えることで、制御ＣＰＵに入力される電圧を２．７Ｖより大きな電圧に保ててリセット回路により制御ＣＰＵがリセットされるということがなくなる。また、ダイオードＤ１、ダイオードＤ２に順方向電圧Ｖｆの小さなショットキバリアダイオードを用いることで、いち早く電力の供給経路を切り替えることができ、スピードの面においても確実な動作が保証される。
【００８９】
なお、この例ではＤＣ／ＤＣコンバータ１８１の入力保証電圧が２．５Ｖのものを使用したが、これを下回ることが予想される場合には、ＤＣ／ＤＣコンバータ１８１の入力保証電圧が低いものを使用すれば良い。
【００９０】
また、本発明の基本思想はプリンタ以外であっても電池で動作し、大きな負荷が一瞬加えられるような例えばモータやストロボなどを備えたカメラやその他のモバイル機器全般に適用可能である。
【図面の簡単な説明】
【００９１】
【図１】従来の装置の電源系統を示す図である。
【図２】図１の動作を説明する図である。
【図３】本発明の実施形態であるプリンタを斜め上方から見た斜視図である。
【図４】プリンタ内部に装填されたインスタントフィルムがプリンタ外部に排出されるときの状態を示す図である。
【図５】本発明の実施形態であるプリンタの底面を斜め上方から見た斜視図である。
【図６】図１のプリンタの表面カバーを取り外し、前方斜め上方からそのプリンタ内部を見た図である。
【図７】図４に示した光学ヘッドの構成を示す模式図である。
【図８】プリンタ内部の信号処理系統の構成ブロック図である。
【図９】制御ＣＰＵ１８０が行なう処理の手順を示すフローチャートである。
【図１０】プリンタの電源系統を示す図である。
【図１１】図１０の動作を説明する図である。
【符号の説明】
【００９２】
１  プリンタ
１ａ  筐体
１０ａ  電池装填室
１ｂ  電池
１００ａ    フィルム装填室
１０１ａ    フィルムドア
１０１１ａ  １０１２ａ    バネ部材
１００    インスタントフィルムパック
１００１    インスタントフィルムシート
１０    各種スイッチ
１１    電源ＳＷ
１２    プリントＳＷ
１３    プリントデータ補正ＳＷ
１４    ＬＣＤパネル
１５    受光部
１６    光学ヘッド
１６１    ラック部材
１６１ａ    リードスクリュー
１６１１ａ    ガイド棒
１６２ａ    ステッピングモータ
１６２１ａ    ステッピングモータドライバ
１６３Ｒ  １６３Ｇ  １６３Ｂ    発光素子
１６４    導光板
１６５    液晶シャッタアレイ
１６６    セルフォックレンズ（登録商標）
１７    展開モータ
１７ａ    展開モータドライバ
１７ｂ    展開ローラ
１８画像記録部
１８０    制御ＣＰＵ
１８００    リセット回路
１８０Ａ    温度センサ
１８０Ｂ    原点センサ
１８０Ｃ    終端センサ
１８１    ＤＣ／ＤＣコンバータ
１８１ａ    電圧レギュレータ
１８２    画像処理部
１８２１    外部Ｉ／Ｆ
１８３    印刷処理部
１８４    ＲＡＭ
１８５    ＦＬＡＳＨＭＥＭＯＲＹ
Ｄ１  Ｄ２    ダイオード
【図１】
2005103786.tif 000003
【図２】
2005103786.tif 000004
【図３】
2005103786.tif 000005
【図４】
2005103786.tif 000006
【図５】
2005103786.tif 000007
【図６】
2005103786.tif 000008
【図７】
2005103786.tif 000009
【図８】
2005103786.tif 000010
【図９】
2005103786.tif 000011
【図１０】
2005103786.tif 000012
【図１１】
2005103786.tif 000013